(57)【要約】【課題】視認性や操作性を犠牲にすることなく、本体に搭載される表示操作部の簡素化により、原価の低減を達成できる加熱調理器を提供する。【解決手段】本発明のオーブンレンジＲは、本体１に外部の通信機器であるスマートフォンＳとの無線通信を可能にする通信部としてのＷｉｆｉモジュール２を備えている。ここでは、オーブンレンジＲが加熱調理を開始する前に、Ｗｉｆｉモジュール２から通信データを送信して、調理の設定および動作に関する操作を可能にする画面をスマートフォンＳの表示手段１０２に表示させ、操作手段１０３の操作に伴う通信データがスマートフォンＳからオーブンレンジＲに送信されると、Ｗｉｆｉモジュール２を通して調理の設定および動作を受け付ける。【選択図】図１
2019027705.tif 000002
【特許請求の範囲】
【請求項１】
本体に通信機器との無線通信を可能にする通信部を備えた加熱調理器であって、
前記加熱調理器が加熱調理を開始する前に、前記通信部から通信データを送信して、調理の設定および動作に関する操作を可能にする画面を前記通信機器に表示させ、この操作に伴う通信データが前記通信機器から前記加熱調理器に送信されると、前記通信部を通して前記調理の設定および動作を受け付ける構成としたことを特徴とする加熱調理器。
【請求項２】
前記通信データには、加熱の種類、設定値、調理メニュー名、調理の画像を含み、前記通信機器で表示した画面から、操作により選択された情報が、前記加熱調理器に送信される構成としたことを特徴とする請求項１記載の加熱調理器。
【請求項３】
前記加熱調理器の加熱調理中には、前記通信機器に調理の設定や進行状況に関する通信データを送付し、前記通信機器の画面に表示させる構成としたことを特徴とする請求項１または２記載の加熱調理器。
【請求項４】
前記本体に表示操作部をさらに備え、
前記表示操作部の画面は、前記通信機器の画面よりもサイズが小さく、またはモノクロ表示であることを特徴とする請求項１〜３の何れか一つに記載の加熱調理器。
【請求項５】
前記通信部は、携帯電話、パソコン、タブレット、またはゲーム機からなる前記通信機器との無線通信が可能であることを特徴とする請求項１〜４の何れか一つに記載の加熱調理器。
【請求項６】
前記通信部は、ＷｉＦｉまたはブルートゥースの通信規格を利用したものであることを特徴とする請求項１〜５の何れか一つに記載の加熱調理器。
【請求項７】
前記本体に記憶部を備え、
この記憶部は、前記加熱調理器の加熱調理に関する調理用データの情報を記憶するものであることを特徴とする請求項１〜６の何れか一つに記載の加熱調理器。
【請求項８】
前記記憶部はさらに、前記加熱調理器の使用回数や、使用時間や、調理メニュー毎の使用回数を含むサービス用データを記憶するものであり、このサービス用データを通信データとして送付し、前記通信機器の画面に表示させる構成としたことを特徴とする請求項７記載の加熱調理器。
【発明の詳細な説明】
【技術分野】
【０００１】
本発明は、通信機器との間で無線通信を可能にする加熱調理器に関する。
【背景技術】
【０００２】
加熱調理器の本体にＷｉＦｉ（Wireless Fidelity）通信部を搭載し、この通信部を制御することで、通信機器としてのスマートフォンに加熱調理器の運転状態などをアイコンで表示し、さらにはスマートフォンから加熱調理器に運転指令を送信して、離れたところから加熱調理器を動作させるものが提案されている（例えば、特許文献１，２など）。
【先行技術文献】
【特許文献】
【０００３】
【特許文献１】特開２０１６−１３６０８５号公報
【特許文献２】特開２０１５−３４６９４号公報
【発明の概要】
【発明が解決しようとする課題】
【０００４】
上述の従来技術では、スマートフォンに表示されるアイコンの画面から、加熱調理器の動作中の状態を認識できるものの、加熱調理器が加熱調理を行なう前に、調理の設定や加熱動作の開始を指示するには、本体に設けた表示操作部を利用して、画面を見ながらの操作が必要となる。そのため、調理メニュー数の多い多機能の加熱調理器では、大型でカラー画面によるタッチ操作の表示操作部を本体に組み込まざるを得ず、加熱調理器としての原価の上昇が懸念されていた。
【０００５】
そこで、本発明は上記事情に鑑み、視認性や操作性を犠牲にすることなく、本体に搭載される表示操作部の簡素化により、原価の低減を達成できる加熱調理器を提供することを目的とする。
【課題を解決するための手段】
【０００６】
本発明の加熱調理器は、本体に通信機器との無線通信を可能にする通信部を備えた加熱調理器であって、前記加熱調理器が加熱調理を開始する前に、前記通信部が通信データを送信して、調理の設定および動作に関する操作を可能にする画面を前記通信機器に表示させ、この操作に伴う通信データが前記通信機器から前記加熱調理器に送信されると、前記通信部が前記調理の設定および動作を受け付ける構成としたことを特徴とする。
【発明の効果】
【０００７】
請求項１の発明によれば、本体に通信部を搭載して、被調理物への加熱調理を開始する前に、調理の設定および動作に関する表示や操作を行なうための通信データを、通信機器との間でやり取りすることで、通信機器側の表示操作部を有効に利用して、画面を見ながら調理の設定や動作の指示を行なうことができる。そのため、視認性や操作性を犠牲にすることなく、本体に搭載される表示操作部を必要最小限に簡素化することが可能になり、加熱調理器として原価の低減を達成できる。
【０００８】
請求項２の発明によれば、本体の通信部から通信機器に送信される通信データにより、加熱の種類や、設定値や、調理メニュー名や、調理の画像を通信機器に適宜表示させることができ、その表示画面から調理の設定や動作に関する操作を行なうことで、選択された情報を本体の通信部に通信データとして送信することができる。
【０００９】
請求項３によれば、加熱調理器による加熱調理が開始すると、本体の通信部から通信機器に送信される通信データにより、通信機器の画面に調理の設定や進行状況を表示させることが可能になり、加熱調理の開始前後で通信機器側の表示操作部を有効利用できる。
【００１０】
請求項４によれば、本体側の表示操作部は必要最小限の機能があればよく、通信機器の画面よりもサイズが小さく、またはモノクロ表示とすることで、原価の低減を効果的に達成できる。
【００１１】
請求項５によれば、本体側の通信部は、通信機器として利用者の多い携帯電話、パソコン、タブレット、またはゲーム機との間で、通信データをやり取りすることが可能になる。
【００１２】
請求項６によれば、本体の通信部は、汎用性の高いＷｉＦｉやブルートゥースの通信規格を利用して、様々な通信機器との間で通信データや情報をやり取りすることが可能になる。
【００１３】
請求項７によれば、本体の記憶部に加熱調理に関する調理用データを記憶させておくことで、通信機器から本体に送られてくる調理の設定や動作を指示する通信データにより、被調理物に対する加熱調理を調理用データに沿って行なうことが可能になる。
【００１４】
請求項８によれば、記憶部には調理用データだけでなく、加熱調理器の使用履歴となるサービス用データを記憶させておく。これにより、加熱調理器の修理時などに、そのサービス用データを直ちに無線通信で送信して、通信機器に表示させることができ、サービス用データを閲覧するまでの面倒な作業を省いて、迅速な修理対応が可能となる。
【図面の簡単な説明】
【００１５】
【図１】本発明の加熱調理器の一実施形態について、従来品と比較した本発明品の全体構成を示す図である。
【図２】同上、扉を開けた時の正面前方から見た図である。
【図３】同上、側面から見た縦断面図である。
【図４】同上、キャビネットを外した状態の前面前方から見た図である。
【図５】同上、本体の内部構造を示す概略図である。
【図６】同上、調理器本体の主な電気的構成を示すブロック図である。
【図７】同上、「毎日１」のタブボタンを選択した状態で、メニュー選択用の項目選択画面を表示手段に表示させたスマートフォンの平面図である。
【図８】同上、「毎日２」のタブボタンを選択した状態で、メニュー選択用の項目選択画面を表示手段に表示させたスマートフォンの平面図である。
【図９】同上、「料理集」のタブボタンを選択した状態で、メニュー選択用の項目選択画面を表示手段に表示させたスマートフォンの平面図である。
【図１０】同上、レンジ出力選択画面を表示手段に表示させたスマートフォンの平面図である。
【図１１】同上、加熱時間選択画面を表示手段に表示させたスマートフォンの平面図である。
【図１２】同上、加熱温度選択画面を表示手段に表示させたスマートフォンの平面図である。
【図１３】同上、杯数選択画面を表示手段に表示させたスマートフォンの平面図である。
【図１４】同上、メニュー一覧画面を表示手段に表示させたスマートフォンの平面図である。
【図１５】同上、メニュー決定画面を表示手段に表示させたスマートフォンの平面図である。
【図１６】同上、調理中画面を表示手段に表示させたスマートフォンの平面図である。
【発明を実施するための形態】
【００１６】
以下、本発明に係る好ましい加熱調理器の実施形態について、添付図面を参照しながら詳しく説明する。なお、本実施形態で説明する加熱調理器は、レンジ加熱やヒータ加熱などにより、幅広い加熱調理を可能にしたオーブンレンジである。
【００１７】
先ず図１に基づいて、従来品のオーブンレンジＲ’と比較した本発明品のオーブンレンジＲの概要を説明する。同図において、図中右側に示す本発明品のオーブンレンジＲは、図中左側に示す従来品のオーブンレンジＲ’に対して、被調理物を加熱調理する本体１にＷｉＦｉモジュール２を搭載した点が異なる。ＷｉＦｉモジュール２は、アンテナ３を兼用する基板４に、ＷｉＦｉ機能とマイコン機能を一つに纏めた多機能チップ５を実装して構成され、オーブンレンジＲの本体１と、スマートフォンＳとの無線通信を可能にする通信部として、オーブンレンジＲの本体１内部に組み込まれる。
【００１８】
ＷｉＦｉモジュール２は、外部のスマートフォンＳとの間でデータのやり取りを直接行なうもので、ここで利用するＷｉＦｉの他に、ブルートゥース（登録商標）などの通信規格により、スマートフォンＳとの双方向の通信を行なう機能を有している。こうした通信規格に適合する通信機器として、本実施形態で説明するスマートフォンＳのような電話機能を備えた携帯電話の他に、パソコン、タブレット、またはゲーム機を利用できる。これらは何れも、利用者の多い無線通信が可能な通信機器である。
【００１９】
一方、従来品のオーブンレンジＲ’と本発明品のオーブンレンジＲに共通して、本体１の前面に設けられる開閉自在な扉７の下部には、表示のための表示手段８や、操作のための操作手段９を備えた表示操作パネル部１０が、表示操作部として配設されるが、本発明品のオーブンレンジＲは、バックグラウンドとは異なる単一色のモノクロで文字や数字などを表示し、従来品のオーブンレンジＲ’よりも画面サイズ（面積）を小さくすることで、構成を簡素化した廉価な液晶ディスプレイの表示手段８が組み込まれる。また、操作手段９についても、従来品のオーブンレンジＲ’と比べて本発明品のオーブンレンジＲでは、操作体の数を減らすなどの構成の簡素化を図ることが可能である。
【００２０】
その他、本発明品のオーブンレンジＲと従来品のオーブンレンジＲ’との間で共通する外観構成を説明すると、１１は本体１の外郭部材となる金属製のキャビネット、１２は扉７の上部に設けられ、縦開きの扉７を開閉するときに手をかける開閉操作用のハンドルであり、扉７の内部で表示操作パネル部１０の後側には、図示しないが、操作手段９からの操作信号を受け付けて表示手段８の制御を行なうために、操作パネルＰＣ（印刷回路）板が配置される。また本体１の下部には、本体１の前面より着脱が可能な給水カセット１４と水受け１５が各々配設される。給水カセット１４は、後述の蒸気供給装置４１から発生する蒸気の供給源として、液体となる水を入れる有底状の容器である。水受け１５は、本体１からの食品カスや水滴、蒸気などを受ける別な有底状の容器である。
【００２１】
次に、本発明品のオーブンレンジＲでのみ利用可能なスマートフォンＳの概略構成を説明する。スマートフォンＳは一般的に知られるように、扁平状の機器本体１０１の表面側に表示を行なうための表示手段１０２と、操作を行うための操作手段１０３とを備えた外観構成を有する。また、機器本体１０１の内部には、前述のＷｉＦｉモジュール２との間で各種データのやり取りを可能にする端末通信部１０４と、操作手段１０３からの操作信号や、端末通信部１０４からのデータを受けて、表示手段１０２を含む各部を制御したり、端末通信部１０４に必要なデータを送出したりする端末制御部１０５とを備える。
【００２２】
本実施形態で使用するスマートフォンＳの表示手段１０２は、好ましくはＴＦＴ（薄膜トランジスタ）液晶表示素子を使用したカラー表示が可能な液晶ディスプレイで、オーブンレンジＲの表示手段８よりも大きな画面サイズを有している。また操作手段１０３は、好ましくは表示手段１０２の表面側に配置され、複数の透明電極スイッチを有してなるタッチパネル１０３Ａを含んで構成される。非押動操作体としてのタッチパネル１０３Ａは、スマートフォンＳの使用者による表示手段１０２上でのタッチ操作を可能にするもので、タッチされた位置に対応して、端末制御部１０５に操作信号が各々送出される。操作手段１０３はタッチパネル１０３Ａの他に、押動操作体としてのボタンスイッチ１０３Ｂを備える。
【００２３】
図２〜図５は、本発明品のオーブンレンジＲの内部構造を示している。これらの各図において、本体１の左右側面と上面を形成するキャビネット１１は、本体１ひいてはオーブンレンジＲの底面を形成するオーブン底板１７を覆うように、本体１の前面を形成するオーブン前板１８と、本体１の後面を形成するオーブン後板１９との間に設けられる。また本体１には、加熱調理すべき被調理物Ｆを内部に収容する調理室２１と、調理室２１の温度を検出する温度検出素子たるサーミスタ２２が設けられる。調理室２１の前面はオーブン前板１８に達していて、被調理物Ｆを出し入れするのに開口しており、この開口を扉７で開閉する構成となっている。またサーミスタ２２は、調理室２１内部において、扉７の近傍に配置される。
【００２４】
調理室２１を形成する周壁は、天井壁２１ａと、底壁２１ｂと、左側壁２１ｃと、右側壁２１ｄと、奥壁２１ｅとからなる。調理室２１の奥壁２１ｅは、その中央に吸込み口２３を備えており、吸込み口２３の周囲には複数の吹出し口２４を備えている。また、調理室２１の上壁面となるドーム状の天井壁２１ａに対向して、本体１の上部には、調理室２１の上方から被調理物Ｆを輻射加熱するグリル用の上ヒータ２５が設けられ、本体１の底部には、調理室２１内に電波であるマイクロ波を供給するために、マグネトロンやアンテナを含むマイクロ波発生装置２６が設けられる。これにより、上ヒータ２５への通電に伴う熱放射によって、調理室２１内に収容した被調理物Ｆを上方向からグリル加熱し、またマイクロ波発生装置２６への通電動作により、調理室２１内に収容した被調理物Ｆにマイクロ波を放射して、被調理物Ｆをレンジ加熱する構成となっている。
【００２５】
調理室２１の左側壁２１ｃと右側壁２１ｄには、調理室２１の内部に金属製の角皿２８を吊設状態で収納保持するために、左右一対の棚支え２２を上下二段に備えている。ここで使用する角皿２８は、上面を開口した有底凹状で、その他は無孔に形成される収容部２８Ａと、収容部２８Ａの上端より外側水平方向に延設するフランジ部２８Ｂとにより構成される。またフランジ部２８Ｂには、角皿２８を通して熱風の流通を可能にする通気孔２８Ｃが開口形成される。図２では、調理室２１の内部で下段の棚支え２２に角皿２８のフランジ部２８Ｂを載せて、収容部２８Ａに被調理物Ｆを載せた状態を示しているが、調理に応じて角皿２８を上段の棚支え２２にだけ載せたり、２枚の角皿２８を上段と下段の棚支え２２に各々載せたりしてもよい。
【００２６】
３１は、本体１の内部において、調理室２１の室外後方から下方にかけて具備されるオーブン加熱用の熱風ユニットである。この熱風ユニット３１は、奥壁２１ｅに取付けられる凸状のケーシング３２と、空気を加熱する熱風ヒータ３３と、調理室２１内に加熱した空気を送り込んで循環させる熱風ファン３４と、熱風ファン３４を所定方向に回転させる電動の熱風モータ３５と、熱風モータ３５からの駆動力を熱風ファン３４に伝達する伝達機構３６と、により概ね構成される。奥壁２１ｅとケーシング３２との間の内部空間として、調理室２１の室外後方に形成された加熱室３８には、熱風ヒータ３３と熱風ファン３４がそれぞれ配設される一方で、本体１の内部に形成された調理室２１とオーブン底板１７との間の下部空間３９には、熱風モータ３５が配設される。そして、熱風ユニット３１全体を後側外方から覆うように、本体１の後部にオーブン後板１９が配設される。
【００２７】
本実施形態の熱風ファン３４は、軸方向に取り入れた空気を、回転時の遠心力によって、軸方向と直角な放射方向に吐き出すいわゆる遠心ファンとして設けられており、管状の熱風ヒータ３３は熱風ファン３４の放射方向を取り囲んで配置される。発熱部でもある熱風ヒータ３３は、例えばシーズヒータ、マイカヒータ、石英管ヒータやハロゲンヒータなどを用いる。前述した吸込み口２３や熱風吹出し口２４は、調理室２１と加熱室３８との間を連通する通風部として機能するものである。
【００２８】
そして本実施形態では、熱風モータ３５への通電に伴い熱風ファン３４が回転駆動すると、調理室２１の内部から吸込み口２３を通して吸引された空気が、熱風ファン３４の放射方向に吹出して、通電した熱風ヒータ３３により加熱され、熱風吹出し口２４を通過して、調理室２１内に熱風が供給される。これにより、調理室２１の内外で熱風を循環させる経路が形成され、調理室２１内の被調理物Ｆを熱風コンベクション加熱する。また、角皿２８の周囲にスリット状の通気孔２８Ｃを設けることで、例えば上下２段の棚支え２２に角皿２８を各々載せて、熱風ユニット３１を利用したオーブン加熱調理を行なった場合でも、各角皿２８の通気孔２８Ｃを通して調理室２１内で熱風が上下に循環するため、被加熱物Ｓとなる食品を上下左右から包み込んで焼き上げることが可能になる。
【００２９】
調理室２１の左側壁２１ｃには、蒸気供給装置４１に連通する蒸気噴出孔４２が設けられる。本体１の内部に設けられる蒸気供給装置４１は、金属製で中空の蒸発容器４３や、給水カセット１４と蒸発容器４３との間に連結する給水管４４や、蒸発容器４３に装着されるシーズヒータなどの蒸発用ヒータ４５や、給水カセット１４からの水を蒸発容器４３内に導く給水ポンプ４６や、蒸発容器４３内の温度を検出する容器温度検出手段４７などを備え、蒸発容器４３内に連通して複数の蒸気噴出孔４２を有している。そして本実施形態では、給水カセット１４に水を収容した状態で給水ポンプ４６が駆動されると、給水カセット１４から送られてきた水が、蒸発用ヒータ４５の通電により所定の温度に加熱された蒸発容器４３の内部に導かれて蒸気化され、蒸気噴出孔４２から調理室２１の内部に飽和蒸気や過熱蒸気が供給される。これにより、調理室２１内に入れられた被調理物Ｆのスチーム加熱を行なう構成となっている。
【００３０】
図６は、オーブンレンジＲの主な電気的構成を示している。同図において、５１はマイクロコンピュータにより構成される制御手段であり、この制御手段５１は周知のように、演算処理手段としてのＣＰＵや、記憶手段としてのメモリや、計時手段としてのタイマや、入出力デバイスなどを備えている。
【００３１】
制御手段５１の入力ポートには、前述したＷｉＦｉモジュール２や、操作手段９や、容器温度検出手段４７の他に、赤外線センサにスイング機構を装備して構成され、調理室２１内全体の温度分布を検出することで、そこに収容された被加熱物Ｆの温度を検出可能にする庫内温度分布検出手段５３と、調理室２１内の温度を検出するサーミスタ２２などの庫内温度検出手段５４と、熱風モータ３５の回転を検出する熱風モータ回転検出手段５５と、扉７の開閉状態を検出する扉開閉検出手段５６と、マイクロ波発生装置２６を構成するアンテナの原点位置を検出するアンテナ位置検出手段５７が、それぞれ電気的に接続される。
【００３２】
制御手段５１の出力ポートには、前述したＷｉＦｉモジュール２や、表示手段８の他に、マイクロ波発生装置２６のマグネトロンやその駆動手段を含むマイクロ波加熱手段６１と、グリル加熱用の上ヒータ２５や、オーブン加熱用の熱風ヒータ３３や、スチーム加熱用の蒸発用ヒータ４５をそれぞれ通断電させるリレーなどのヒータ駆動手段６２と、調理室２１内にマイクロ波を放射するアンテナを回転駆動させるためのアンテナ駆動手段６３と、熱風モータ３５を回転駆動させるための熱風モータ駆動手段６４と、蒸気供給装置４１の給水ポンプ４６を動作させるためのポンプ駆動手段６５が、それぞれ電気的に接続される。
【００３３】
制御手段５１は、操作手段９からの操作信号と、容器温度検出手段４７や、庫内温度分布検出手段５３や、庫内温度検出手段５４や、熱風モータ回転検出手段５５や、扉開閉検出手段５６や、アンテナ位置検出手段５７からの各検出信号を受けて、計時手段からの計時に基づく所定のタイミングで、マイクロ波加熱手段６１や、ヒータ駆動手段６２や、アンテナ駆動手段６３や、熱風モータ駆動手段６４や、ポンプ駆動手段６５に駆動用の制御信号を出力し、また表示手段８に表示用の制御信号を出力する機能を有する。こうした機能は、記憶媒体としての前記メモリに記録したプログラムを、制御手段５１が読み取ることで実現するが、特に本実施形態では、制御手段５１を加熱調理制御部６６と、通信制御部６７として機能させるプログラムを備えている。
【００３４】
こうしたプログラムの他に、記憶手段はオーブンレンジＲによる加熱調理に関して、調理室２１内で加熱調理が可能な全ての調理メニューを記憶する調理メニュー記憶部６８と、例えばオーブンレンジＲの使用回数となる調理回数や、使用時間や、調理メニュー毎の使用回数などを含み、オーブンレンジＲの使用状況となるサービス用データを記憶する使用状況記憶部６９などを備えている。
【００３５】
加熱調理制御部６６は、主に被調理物Ｆの加熱調理に係る各部の動作を制御するもので、操作手段９の操作に伴う操作信号を受け取ると、扉開閉検出手段５６からの検出信号により、扉７が閉じていると判断した場合に、その操作信号に応じて、マイクロ波加熱手段６１や、ヒータ駆動手段６２や、アンテナ駆動手段６３や、熱風モータ駆動手段６４や、ポンプ駆動手段６５に制御信号を送出して、調理室２１内の被調理物Ｆに対する加熱調理を制御する。本実施形態では、加熱調理を実行するための被加熱物Ｆの材料および加熱条件を含む調理情報として、予め複数の調理メニューが前述の調理メニュー記憶部６８に記憶保持されており、オーブンレンジＲの操作手段９やスマートフォンＳのタッチパネル１０３Ａを利用して、その中から一つの調理メニューが選択され、加熱調理を実行する操作が行われると、加熱調理制御部６６はその選択した調理メニューに従う所定の手順で、被調理物Ｆを加熱調理する構成となっている。
【００３６】
調理メニュー記憶部６８に記憶される調理メニューは、被調理物Ｆに対する加熱の出力や時間や温度の設定が、少なくとも一つ以上必要な手動調理メニューと、そうした設定が不要な自動調理メニューとに大別される。加熱調理制御部６６は、手動調理メニューが選択されると、加熱条件となる出力や時間や温度の設定値に基いて、何れも加熱手段となるグリル加熱用の上ヒータ２５や、オーブン加熱用の熱風ユニット３１や、スチーム加熱用の蒸気供給装置４１や、レンジ加熱用のマイクロ波加熱手段６１を制御して、調理室２１内の被調理物Ｆを加熱調理する手動調理制御手段と、自動調理メニューが選択されると、その選択した調理メニューに応じて前述の加熱手段を自動的に制御して、調理室２１内の被調理物Ｆを加熱調理する自動メニュー調理制御手段としての機能を備えている。
【００３７】
通信制御部６７は、主にＷｉＦｉモジュール２の動作を制御して、ＷｉＦｉモジュール２と無線で接続するスマートフォンＳとの間で、各種データのやり取りを行なうものである。本実施形態の通信制御部６７は特に、オーブンレンジＲが加熱調理を開始する前に、ＷｉＦｉモジュール２とスマートフォンＳの端末制御部１０５との間で通信が確立されると、スマートフォンＳの表示手段１０２に調理の設定および動作に関する操作を可能にする画面を表示させるために、ＷｉＦｉモジュール２からスマートフォンＳに向けて通信データを送信し、これを受けてスマートフォンＳの表示手段１０２上で、調理の設定および動作に関するタッチ操作が行なわれ、そのタッチ操作に伴うタッチパネル１０３Ａからの操作信号により、スマートフォンＳからＷｉＦｉモジュール２に向けて通信データが送信されると、ＷｉＦｉモジュール２を通して調理の設定および動作を受け付ける構成を備えている。
【００３８】
なお、ここでいう「調理の設定および動作に関する操作」とは、スマートフォンＳ側の操作手段１０３により、制御手段５１のメモリに記憶される全ての調理メニューの中から、所望する一つの調理メニュー（自動調理メニューまたは手動調理メニュー）を選択および設定し、その設定した調理メニューで加熱調理の動作を行なうのに必要なあらゆる操作を含む。
【００３９】
通信制御部６７は、オーブンレンジＲが加熱調理を開始するまでに、少なくとも加熱の種類や、調理メニューの名称や、調理の画像を含んだ通信データを送信することで、所望する特定の調理メニューを選択させるためのメニュー選択用画面を表示手段１０２に表示させ、特定の調理メニューを選択した後には、少なくとも出力や時間や温度などの設定値を含んだ通信データを送信することで、特定の調理メニューにおいて、所望する設定値などの加熱条件を選択させるための加熱条件選択画面を表示手段１０２に表示させることで、これらのメニュー選択用画面または加熱条件選択画面から、タッチパネル１０３Ａへのタッチ操作により選択された情報が、スマートフォンＳからオーブンレンジＲに送信される構成となっている。
【００４０】
また通信制御部６７は、オーブンレンジＲが加熱調理を開始した後に、調理の設定や進行状況に関する情報を含んだ調理中画面をスマートフォンＳの表示手段１０２に表示させるために、ＷｉＦｉモジュール２からスマートフォンＳに向けて、そうした調理の設定や進行状況に関する通信データを送信する構成を備えている。
【００４１】
次に、図７〜図１６を参照しながら、上記構成のオーブンレンジＲとスマートフォンＳについて、その作用を詳しく説明する。
【００４２】
オーブンレンジＲに備えたコード付き電源プラグ（図示せず）をコンセントに差し込んで、本体１内の各部を通電状態にすると、通信制御部６７はＷｉＦｉモジュール２を通して、オーブンレンジＲ外部からの無線信号の送受信を可能にする待機モードに移行する。この待機モードでスマートフォンＳの端末制御部１０５を起動させ、操作手段１０３への操作でスマートフォンＳの端末通信部１０４とオーブンレンジＲのＷｉＦｉモジュール２との間の通信を確立させると、通信制御部６７は、図７に示すメニュー選択用の項目選択画面をスマートフォンＳの表示手段１０２に表示させるために、ＷｉＦｉモジュール２から端末通信部１０４に向けて通信データを送信する。
【００４３】
図７において、メニュー選択用の項目選択画面はいわゆるタブ形式の画面で、画面の上側には、使用頻度の高い各種のメニューボタンを下側に表示する「毎日１」のタブボタンＴ１や「毎日２」のタブボタンＴ２と、手動調理のためのメニューボタンを下側に表示する「手動」のタブボタンＴ３と、料理集のメニューボタンを下側に表示する「料理集」のタブボタンＴ４と、ブザー報知手段（図示せず）などの各種設定用のメニューボ夕ンを下側に表示する「設定」のタブボタンＴ５が、分類選択表示部として横並びに配置される。また、スマートフォンＳのとオーブンレンジＲとの間で通信が確立した直後に表示される初期の項目選択画面では、「毎日１」のタブボタンＴ１を選択した状態で、当該「毎日１」の分類に関連した６つの選択可能な項目のメニューボタン、すなわち「レンジ」のメニューボタンＢ１と、「お気に入り」のメニューボタンＢ２と、「履歴」のメニューボタンＢ３と、「ごはん」のメニューボタンＢ４と、「おかず」のメニューボタンＢ５と、「二品あたため」のメニューボタンＢ６が、項目選択表示部として各々配置される。なお、タブボタンＴ１〜Ｔ５およびメニューボタンＢ１〜Ｂ６の数や表示形態などは、特に限定されない。
【００４４】
本実施形態では、図７に示す初期の項目選択画面から、別の例えば「毎日２」のタブボタンＴ２上をタッチ操作して選択すると、タッチパネル１０３Ａからの操作信号により、スマートフォンＳからＷｉＦｉモジュール２に向けて、別な分類の項目選択画面への表示切替えを指示する通信データが送信される。これを受けて通信制御部６７が、ＷｉＦｉモジュール２から端末通信部１０４に向けて、「毎日２」の分類に関連した通信データを送信すると、表示手段１０２にはそれまでの「毎日１」の分類に関連したメニューボタンに代わり、「毎日２」の分類に関連したメニューボタンが、項目選択表示部として各々表示される。こうした項目選択画面の表示切替えは、全てのタブボタンＴ１〜Ｔ５で同じように動作する。
【００４５】
図８は、「毎日２」のタブボタンＴ２を選択したときの、メニュー選択用の項目選択画面を示したものである。同図において、ここでの項目選択画面には、「３つの解凍」のメニューボタンＢ１１と、「牛乳」のメニューボタンＢ１２と、「ゆで野菜」のメニューボタンＢ１３と、「色々あたため」のメニューボタンＢ１４と、「トースト」のメニューボタンＢ１５と、「おすすめ」のメニューボタンＢ１６が、「毎日２」の分類に関連する項目選択表示部として各々表示される。
【００４６】
また図９は、「料理集」のタブボタンＴ４を選択したときの、メニュー選択用の項目選択画面を示したものである。同図において、ここでの項目選択画面には、「お料理選択」のメニューボタンＢ２１と、「献立選び」のメニューボタンＢ２２と、「レシピ付メニュー」のメニューボタンＢ２３と、「食材」のメニューボタンＢ２４と、「メニュー番号」のメニューボタンＢ２５と、「５０音」のメニューボタンＢ２６が、「料理集」の分類に関連する項目選択表示部として各々表示される。
【００４７】
こうした図７〜図９に示す項目選択画面の中で、例えば「レンジ」の手動調理メニューに対応するメニューボタンＢ１や、「ごはん」の自動調理メニューに対応するメニューボタンＢ４や、「おかず」の自動調理メニューに対応するメニューボタンＢ５や、「二品あたため」の自動調理メニューに対応するメニューボタンＢ６や、「牛乳」の自動調理メニューに対応するメニューボタンＢ１２は、オーブンレンジＲからスマートフォンＳに送信される通信データに、調理メニューの名称を含めることで表示可能となる。また、「レンジ」加熱に対応するメニューボタンＢ１の他に、図７〜図９には示していないが、「手動」のタブボタンＴ３を選択したときに、項目選択表示部として表示される例えば「グリル」加熱や、「オーブン」加熱や、「スチーム」加熱に対応する各メニューボタンは、オーブンレンジＲからスマートフォンＳに送信される通信データに、調理メニュー名でもある加熱の種類を含めることで表示可能となる。
【００４８】
本実施形態では、「毎日１」のタブボタンＴ１、「毎日２」のタブボタンＴ２、「手動」のタブボタンＴ３、「料理集」のタブボタンＴ４の何れかを選択した状態で、表示手段１０２に表示される一つのメニューボタン上をタッチ操作していくと、最終的にスマートフォンＳ側で特定の調理メニューを選択できるようになっている。
【００４９】
例えば前述の図７に示す初期画面で、「レンジ」のメニューボタンＢ１上をタッチ操作すると、スマートフォンＳ側で調理の設定に関する「レンジ」の調理メニューを選択した旨の通信データが、オーブンレンジＲに向けて送信される。この通信データは通信制御部６７によりＷｉＦｉモジュール２を通して受け入れられ、加熱調理制御部６６は被調理物Ｆに対する調理メニューを「レンジ」に設定する。また通信制御部６７は、設定された「レンジ」の調理メニューに対応して、少なくとも複数のレンジ出力の設定値（既定値）を含んだ通信データを、スマートフォンＳに向けて送信する。スマートフォンＳはこの通信データを受信すると、図７に示す項目選択画面から、レンジ出力の選択を可能にするレンジ出力選択画面に、表示手段１０２の表示を切替える。
【００５０】
図１０は、このとき加熱条件選択画面の一つとして、スマートフォンＳの表示手段１０２に表示されるレンジ出力選択画面を示している。同図において、レンジ出力選択画面の上部には、加熱調理制御部６６で設定された調理メニューを示す「レンジ」なるテキスト表示体Ｄ１と、表示手段１０２に前の画面を表示させるための「戻る」ボタンＢ３１が配置される。また、テキスト表示体Ｄ１と「戻る」ボタンＢ３１とによる横長帯状の表示領域の下部には、レンジ出力を選択するための項目として、「1000Ｗ」の出力ボタンＢ３２と、「600Ｗ」の出力ボタンＢ３３と、「500Ｗ」の出力ボタンＢ３４と、「200Ｗ」の出力ボタンＢ３５と、「100Ｗ」の出力ボタンＢ３６が、項目選択表示部として各々配置される。通信制御部６７は、こうしたレンジ出力選択画面をスマートフォンＳの表示手段１０２に表示させ、タッチパネル１０３Ａへのタッチ操作で所望のレンジ出力を選択できるようにするために、調理メニュー名や複数のレンジ出力の設定値を含んだ通信データを、オーブンレンジＲからスマートフォンＳに向けて送信する。
【００５１】
本実施形態では、表示手段１０２に表示される一つの出力ボタン上をタッチ操作すると、そのタッチ操作した出力ボタンに対応するレンジ出力の設定値を選択できるようになっている。例えば図１０に示すレンジ出力選択画面で、「600Ｗ」の出力ボタンＢ３３上をタッチ操作すると、スマートフォンＳ側で「600Ｗ」の設定値のレンジ出力を選択した旨の通信データが、オーブンレンジＲに向けて送信される。この通信データは通信制御部６７によりＷｉＦｉモジュール２を通して受け入れられ、加熱調理制御部６６は被調理物Ｆに対するレンジ出力を「600Ｗ」に設定する。また通信制御部６７は、次に少なくとも複数の加熱時間の設定値（既定値）を含んだ通信データを、スマートフォンＳに向けて送信する。スマートフォンＳはこの通信データを受信すると、図１０に示すレンジ出力選択画面から、加熱時間の選択を可能にする加熱時間選択画面に、表示手段１０２の表示を切替える。
【００５２】
図１１は、このとき加熱条件選択画面の一つとして、スマートフォンＳの表示手段１０２に表示される加熱時間選択画面を示している。同図において、レンジ出力選択画面の上部には、レンジ出力選択画面と同様に「レンジ」なるテキスト表示体Ｄ１と、「戻る」ボタンＢ３１に加えて、加熱調理制御部６６で設定されたレンジ出力の設定値を示す「600Ｗ」なるテキスト表示体Ｄ２が配置される。また、テキスト表示体Ｄ１，Ｄ２と「戻る」ボタンＢ３１とによる横長帯状の表示領域の下部には、加熱時間を選択するための項目として、「10分」単位の時間ボタンＢ４１と、「１分」単位の時間ボタンＢ４２と、「10秒」単位の時間ボタンＢ４３と、選択した加熱時間を０に戻す「クリア」ボタンＢ４４が、項目選択表示部として各々配置され、さらに選択した加熱時間の表示体Ｄ３と、加熱調理の開始指示を促す「スタートできます」なるテキスト表示体Ｄ４が、ボタンＢ４１〜Ｂ４４の周辺に配置される。通信制御部６７は、こうした加熱時間選択画面をスマートフォンＳの表示手段１０２に表示させ、タッチパネル１０３Ａへのタッチ操作で所望の加熱時間を選択できるようにするために、調理メニュー名や、設定されたレンジ出力の値や、複数の加熱時間の設定値を含んだ通信データを、オーブンレンジＲからスマートフォンＳに向けて送信する。
【００５３】
本実施形態では、表示手段１０２に表示される時間ボタンＢ４１〜Ｂ４３の何れか上面をタッチ操作する毎に、そのタッチ操作した出力ボタンに対応して加熱時間が０から加算され、表示体Ｄ３に表示される。例えば図１１に示す加熱時間選択画面で、「１分」単位の時間ボタンＢ４２上を２回タッチ操作すると、表示体Ｄ３に表示される加熱時間が１分ずつ増加して「２分００秒」になり、その後で「10秒」単位の時間ボタンＢ４３上を３回タッチ操作すると、表示体Ｄ３に表示される加熱時間が１分ずつ増加して「２分３０秒」になる。そして、スマートフォンＳ側での一乃至複数回のタッチ操作で、加熱時間を「２分３０秒」の設定値に選択した旨の通信データが、オーブンレンジＲに向けて送信される。この通信データは通信制御部６７によりＷｉＦｉモジュール２を通して受け入れられ、加熱調理制御部６６は被調理物Ｆに対する加熱時間を「２分３０秒」に設定する。
【００５４】
また、ここでの加熱時間選択画面は、次に調理の開始を指示できるスタート画面を兼用するもので、指示手段となるボタンスイッチ１０３Ｂを押動操作して、加熱調理の開始を指示すると、加熱開始を指示した旨の通信データが、オーブンレンジＲに向けて送信される。これにより加熱調理制御部６６は、レンジ出力が「600Ｗ」となり、加熱時間が「２分３０秒」となるようにマイクロ波加熱手段６１を制御して、調理室２１に入れられた被調理物Ｆをレンジ加熱する。
【００５５】
以上が、図７に示すメニュー選択用の項目選択画面から、手動調理メニューの一つである「レンジ」を選択して、被調理物Ｆへのレンジ加熱を開始するまでの一連の動作手順であるが、調理メニューを設定した後に、タッチパネル１０３Ａへのタッチ操作により選択できる加熱条件の設定値は、その設定した調理メニューに応じて異なる。
【００５６】
例えば、前述した「オーブン」の調理メニューを選択すると、図１０で示したレンジ出力選択画面に代わり、図１２に示す加熱温度選択画面がスマートフォンＳの表示手段１０２に表示される。同図において、加熱温度選択画面の上部には、レンジ出力選択画面と同様に、設定された調理メニューを示す「オーブン：予熱なし」なるテキスト表示体Ｄ１と、「戻る」ボタンＢ３１が配置される。また、テキスト表示体Ｄ１と「戻る」ボタンＢ３１とによる横長帯状の表示領域の下部には、加熱温度を選択するための項目として、「−」の温度下降ボタンＢ５１と「＋」の温度上昇ボタンＢ５２が項目選択表示部として各々配置され、さらに選択した加熱温度の表示体Ｄ１１と、次の画面への切替えを可能にする「次へ」なる指示ボタンＢ５３が、ボタンＢ５１，Ｂ５２の周辺に配置される。
【００５７】
図１２に示す加熱温度選択画面では、「−」の温度下降ボタンＢ５１上をタッチ操作する毎に加熱温度が上昇し、逆に「＋」の温度上昇ボタンＢ５２上をタッチ操作する毎に加熱温度が下降して、表示体Ｄ１１に表示される。これにより、スマートフォンＳ側での一乃至複数回のタッチ操作で、表示体Ｄ１１に表示される加熱温度を、例えば「２００℃」の設定値に選択すると、その旨の通信データが通信制御部６７に受け入れられ、加熱調理制御部６６は被調理物Ｆに対する加熱温度を「２００℃」に設定する。その後で、指示ボタンＢ５３上をタッチ操作すると、表示手段１０２の表示が前述の加熱時間選択画面に切替り、スマートフォンＳ側で加熱温度の選択や加熱調理の開始指示を行なうことができる。
【００５８】
また別な例として、図８に示すメニュー選択用の項目選択画面から、「牛乳」のメニューボタンＢ１２上をタッチ操作すると、スマートフォンＳ側で「牛乳」の調理メニューを選択した旨の通信データが、オーブンレンジＲに向けて送信され、加熱調理制御部６６は被調理物Ｆに対する調理メニューを「牛乳」に設定する。また通信制御部６７は、設定された「牛乳」の調理メニューに対応して、調理メニュー名を含んだ「調理の設定」に関する通信データと、複数の杯数の設定値（既定値）を含んだ「調理の動作」に関する通信データを、スマートフォンＳに向けて送信する。スマートフォンＳはこの通信データを受信すると、図８に示す項目選択画面から、図１３に示す杯数の選択を可能にする杯数選択画面に、表示手段１０２の表示を切替える。
【００５９】
図１３に示す杯数選択画面は、設定された調理メニューを示す「牛乳」なるテキスト表示体Ｄ１と、表示手段１０２に前の画面を表示させるための「戻る」ボタンＢ３１の他に、被調理物Ｆとして調理室２１に入れられる牛乳の杯数を選択するための項目として、「１杯」の杯数ボタンＢ６１と、「２杯」の杯数ボタンＢ６２と、「３杯」の杯数ボタンＢ６３と、「４杯」の杯数ボタンＢ６４が、項目選択表示部として各々配置される。ここで、例えば杯数ボタンＢ６１上をタッチ操作すると、スマートフォンＳ側で「１杯」の設定値の杯数を選択した旨の通信データが、オーブンレンジＲに向けて送信され、加熱調理制御部６６は被調理物Ｆである牛乳の杯数を「１杯」に設定する。以後、図示は省略するが、「牛乳」の自動調理メニューに対応した通信データが通信制御部６７よりスマートフォンＳに向けて送信され、最終的に前述のような「スタートできます」のテキスト表示体Ｄ４を含んだスタート画面が表示手段１０２に表示された状態で、ボタンスイッチ１０３Ｂにより加熱調理の開始を指示すると、「１杯」の牛乳に見合うレンジ出力で、被調理物Ｆである牛乳がレンジ加熱される。
【００６０】
上述した「レンジ」や「牛乳」などの調理メニューは、図７や図８に示すメニュー選択用の項目選択画面で、１回のタッチ操作によりその調理メニューを直接的に選択・設定することができる。一方、図９に示す「料理集」のタブボタンＴ４を選択したメニュー選択用の項目選択画面では、調理メニュー記憶部６８に記憶される種々な調理メニューの中から、複数回のタッチ操作により所望する一つの調理メニューを絞り込んで、選択・設定することができる。
【００６１】
以下、その手順を説明すると、図９に示す画面から、「５０音」のメニューボタンＢ２６上をタッチ操作した後に、図示しない５０音選択画面から、特定の仮名文字をタッチ操作で選択すると、その仮名文字から始まる調理メニュー候補の一覧が、メニュー一覧画面として表示手段１０２に表示される。例として、図１４に示すメニュー一覧画面では、前述した「戻る」ボタンＢ３１の他に、調理メニュー候補の一覧として、調理の画像を示す画像表示体Ｇ１と、所望する調理メニューを選び出すための調理メニュー候補の名称を示すテキスト表示体Ｄ２１とを含み、リスト形式で縦に並べて表示される選択ボタンＢ７１Ａ，Ｂ７１Ｂ，B７１Ｃが配置される。また、「戻る」ボタンＢ３１の下部には、「前へ」ボタンＢ７２と、調理メニュー候補の一覧の全ページ数と現在のページ数を示すテキスト表示体Ｄ２２と、「次へ」ボタンＢ７３が、各々配置される。このメニュー一覧画面では、画像表示体Ｇ１やテキスト表示体Ｄ２１を配設した選択ボタンＢ７１Ａ，Ｂ７１Ｂ，B７１Ｃ上で、タッチ操作により所望の調理メニュー候補を選択できるように、調理の画像や調理メニュー名となる調理メニュー候補の名称を含んだ通信データが、オーブンレンジＲからスマートフォンＳに向けて送信される。
【００６２】
メニュー一覧画面では、選択ボタンＢ７１Ａ，Ｂ７１Ｂ，B７１Ｃによるリスト表示領域に、調理メニュー候補を３個ずつ表示させることができる。この数は特に限定されない。また、テキスト表示体Ｄ２２には「２／３」なる文字列が表示されており、ここに表示されるメニュー一覧画面が、第２番目の調理メニュー候補のリストを表示していることが理解できる。この状態から、「前へ」ボタンＢ７２上をタッチ操作する毎に、一つ前の調理メニュー候補のリストが表示され、「次へ」ボタンＢ７３上をタッチ操作する毎に、次の調理メニュー候補のリストが表示される（何れも図示せず）。なお、図１５の選択ボタンＢ７１Ｃに含まれる「とろ〜りプリン」なるテキスト表示体Ｄ２１のように、ここでは単独の調理メニューも、調理メニュー候補としてメニュー一覧画面中に表示することができる。
【００６３】
こうして、メニュー一覧画面で順次表示を切替えることができる調理メニュー候補のリストの中から、所望する調理メニュー候補に対応した選択ボタン上をタッチ操作していくと、図１５に示すように、一つの調理メニューに絞り込んだメニュー決定画面が表示される。メニュー決定画面では、前述した「戻る」ボタンＢ３１や指示ボタンＢ５３の他に、絞り込んだ調理メニューの名称をメニュー番号と共に示すテキスト表示体Ｄ３１と、その調理メニューの名称に関連付けられた調理の画像を示す画像表示体Ｇ１１が各々配置される。
【００６４】
図１５に示すメニュー決定画面は、「Ｎｏ．３  トマト煮込みハンバーグ」なる調理メニュー名のテキスト表示体Ｄ３１と、その調理メニューに対応した完成状態の調理の画像となる画像表示体Ｇ１とを含んでいる。これは図１４に示すメニュー一覧画面で、第１番目の調理メニュー候補のリストの中から、「トマト」に対応する調理メニュー候補の選択ボタン上をタッチ操作し、そこから図示しないが、画像と名称との組み合わせでリスト表示された「トマト煮込みハンバーグ」に対応する調理メニューの選択ボタン上をタッチ操作することで表示される。
【００６５】
このメニュー決定画面でも、テキスト表示体Ｄ３１や画像表示体Ｇ１１を表示した状態で、指示ボタンＢ５３上でのタッチ操作により、絞り込んだ一つの調理メニューを選択できるように、調理の画像や調理メニュー名となる調理メニュー候補の名称を含んだ通信データが、オーブンレンジＲからスマートフォンＳに向けて送信される。以後、図示は省略するが、指示ボタンＢ５３上をタップ操作して、加熱調理制御部６６が「トマト煮込みハンバーグ」の調理メニューを設定すると、その調理メニューに対応した通信データが通信制御部６７よりスマートフォンＳに向けて送信され、最終的に前述のようなスタート画面が表示手段１０２に表示される。その状態で、ボタンスイッチ１０３Ｂにより加熱調理の開始を指示すると、調理室２１に入れられた被調理物Ｆに対して、「トマト煮込みハンバーグ」に対応した自動加熱制御が加熱調理制御部６６で行われる。
【００６６】
図１６は、加熱調理の開始を指示した後に、スマートフォンＳの表示手段１０２に表示される調理中画面を示している。同図において、ここでの調理中画面は、前述の加熱調理制御部６６で設定された例えば「ごはん」なる調理メニューの名称を示すテキスト表示体Ｄ１の他に、加熱中であることを「加熱中」として示すテキスト表示体Ｄ４１と、加熱の進行度合いを２種類の四角形を並べて示すアイコン表示体Ｄ４２が形成される。なお加熱調理中は、「加熱中」なるテキスト表示体Ｄ４１が所定の時間間隔で点滅を繰り返す（例えば、0.75秒点灯／0.25秒消灯の繰り返し）。またアイコン表示体Ｄ４２は、加熱の進行度合いが進むに従って、塗り潰された四角形の数が左側から次第に増加して表示される。
【００６７】
図１６に示す調理中画面をスマートフォンＳの表示手段１０２に表示させるために、通信制御部６７はオーブンレンジＲの加熱調理中に、調理メニューの名称や調理の進行状況に関する通信データを、所定の時間毎にスマートフォンＳに向けて送信する。これにより、テキスト表示体Ｄ４１で設定された調理メニューを表示させながら、加熱の進行状況を時々刻々とアイコン表示体Ｄ４２に表示させることができる。
【００６８】
こうしたオーブンレンジＲの使用に伴って、制御手段５１は少なくともオーブンレンジＲで調理を行なった使用回数や、調理の開始から終了までの使用時間や、加熱調理制御部６６で設定された調理メニュー毎の使用回数を、オーブンレンジ時Ｒの使用状況を示すサービス用データとして、使用状況記憶部６９にその都度記憶する。これらの回数や時間の値は、その何れかまたは全てを累算して記憶保存してもよいし、それぞれ関連付けて個別に記憶保存してもよい。また、例えば前述の各検出手段４７，５３〜５７からの検知信号が所定のレベルを外れるなど、何らかの異常が発生したと制御手段５１が判断すると、その異常の内容を特定するエラーデータも、サービス用データとして使用状況記憶部６９にその都度記憶してもよい。
【００６９】
そして本実施形態では、オーブンレンジＲの修理時などに、サービスマンが保有するスマートフォンＳをオーブンレンジＲのＷｉｆｉモジュール２に近付けて、オーブンレンジＲとスマートフォンＳとの間で通信を確立すると、使用状況記憶部６９にそれまで記憶されていたサービス用データが、無線でスマートフォンＳに転送される。このサービス用データは、表示手段１０２によりその場で画面表示されるようになっており、サービス用データを閲覧するまでに、例えばオーブンレンジＲに機械的な接続を行なうなどの面倒な作業を省いて、迅速な修理対応が可能となる。
【００７０】
以上のように本実施形態の加熱調理器としてのオーブンレンジＲは、その本体１に外部の通信機器であるスマートフォンＳとの無線通信を可能にする通信部としてのＷｉｆｉモジュール２を備えており、オーブンレンジＲが加熱調理を開始する前に、Ｗｉｆｉモジュール２から通信データを送信して、調理の設定および動作に関する操作を可能にする画面をスマートフォンＳの表示手段１０２に表示させ、操作手段１０３の操作に伴う通信データがスマートフォンＳからオーブンレンジＲに送信されると、Ｗｉｆｉモジュール２を通して調理の設定および動作を受け付ける構成となっている。
【００７１】
この場合、オーブンレンジＲの本体１にＷｉｆｉモジュール２を搭載して、被調理物Ｆへの加熱調理を開始する前に、調理の設定および動作に関する表示や操作を行なうための通信データを、スマートフォンＳとの間でやり取りすることで、スマートフォンＳ側の表示操作部となる表示手段１０２と操作手段１０３を有効に利用して、表示手段１０２に表示される画面を見ながら、操作手段１０３により調理の設定や動作の指示を行なうことができる。そのため、視認性や操作性を犠牲にすることなく、本体１に搭載される表示操作部としての表示操作パネル部１０を、必要最小限に簡素化することが可能になり、オーブンレンジＲとして原価の低減を達成できる。
【００７２】
また本実施形態において、Ｗｉｆｉモジュール２を通して送受信される通信データには、少なくとも加熱の種類、出力や時間や温度などの設定値、調理メニュー名、調理の画像を含み、スマートフォンＳの表示手段１０２で表示した画面から、操作手段１０３の操作により選択された情報が、オーブンレンジＲに送信される構成となっている。
【００７３】
この場合、本体１のＷｉｆｉモジュール２からスマートフォンＳに送信される通信データにより、加熱の種類や、加熱調理を行なうのに様々な設定値や、調理メニュー名や、調理の画像をスマートフォンＳの表示手段１０２に適宜表示させることができ、その表示画面から調理の設定や動作に関する操作を行なうことで、選択された情報を本体１のＷｉｆｉモジュール２に通信データとして送信することができる。
【００７４】
また本実施形態において、オーブンレンジＲの加熱調理中には、Ｗｉｆｉモジュール２を通してスマートフォンＳに調理の設定や進行状況に関する通信データを送付し、こうした調理の設定や進行状況をスマートフォンＳの表示手段１０２に表示させる構成となっている。
【００７５】
この場合、オーブンレンジＲによる加熱調理が開始すると、本体１のＷｉｆｉモジュール２からスマートフォンＳに送信される通信データにより、スマートフォンＳの表示手段１０２による画面に、調理の設定や進行状況を表示させることが可能になり、加熱調理の開始前後でスマートフォンＳ側の表示操作部となる表示手段１０２や操作手段１０３を有効利用できる。
【００７６】
また、本実施形態のオーブンレンジＲは、本体１に表示操作部となる表示操作パネル部１０をさらに備え、この表示操作パネル部１０を構成する表示手段８の画面は、スマートフォンＳに備えた表示手段１０２の画面よりもサイズが小さく、および／またはモノクロ表示で構成される。
【００７７】
この場合、スマートフォンＳ側の表示手段１０２や操作手段１０３を利用して、一通りの表示や操作を行えることから、本体１側の表示操作パネル部１０は必要最小限の機能があればよく、スマートフォンＳの表示手段１０２の画面よりもサイズが小さく、および／またはモノクロ表示とすることで、オーブンレンジＲにおける原価の低減を効果的に達成できる。
【００７８】
また、本実施形態のＷｉｆｉモジュール２は、上述のスマートフォンＳを含む携帯電話、パソコン、タブレット、またはゲーム機からなる通信機器との無線通信が可能な構成となっている。
【００７９】
この場合、本体１側のＷｉｆｉモジュール２は、通信機器として利用者の多い携帯電話、パソコン、タブレット、またはゲーム機との間で、様々な通信データをやり取りすることが可能になる。
【００８０】
また、本実施形態のＷｉｆｉモジュール２は、ＷｉＦｉおよび／またはブルートゥースの通信規格を利用して構成されている。
【００８１】
この場合、本体１側のＷｉｆｉモジュール２は、汎用性の高いＷｉＦｉやブルートゥースの通信規格を利用して、スマートフォンＳなどの様々な通信機器との間で通信データや情報をやり取りすることが可能になる。
【００８２】
また本実施形態のオーブンレンジＲは、本体１に記憶部となる記憶手段を備え、この記憶手段は、オーブンレンジＲの加熱調理に関する調理用データの情報を、調理メニュー記憶部６８に記憶して構成される。
【００８３】
この場合、本体１の調理メニュー記憶部６８に加熱調理に関する調理用データを記憶させておくことで、スマートフォンＳから本体１に送られてくる調理の設定や動作を指示する通信データにより、被調理物Ｆに対する加熱調理を本体１側の調理用データに沿って行なうことが可能になる。
【００８４】
また、本体１に備えた記憶手段はさらに、オーブンレンジＲの使用回数や、使用時間や、設定した調理メニュー毎の使用回数を含むサービス用データを記憶する使用状況記憶部６９を備え、Ｗｉｆｉモジュール２にスマートフォンＳをアクセスして、オーブンレンジＲとスマートフォンＳとの間で通信を確立すると、使用状況記憶部６９に記憶するサービス用データを無線通信で送付して、スマートフォンＳの画面にオーブンレンジＲの使用状況を表示させる構成となっている。
【００８５】
この場合、記憶手段には調理用データを調理メニュー記憶部６８に記憶するだけでなく、オーブンレンジＲの使用履歴となるサービス用データを使用状況記憶部６９に記憶させておく。これにより、オーブンレンジＲの修理時などに、そのサービス用データを直ちに通信データとして送信して、スマートフォンＳに表示させることができ、サービス用データを閲覧するまでの面倒な作業を省いて、迅速な修理対応が可能となる。
【００８６】
なお、本発明は上記実施形態に限定されるものではなく、本発明の趣旨を逸脱しない範囲で種々の変更可能である。本発明は、オーブンレンジＲ以外の各種加熱調理器にも適用できる。また、通信制御部６７の一部またはすべての機能を、ＷｉＦｉモジュール２の多機能チップ５に組み込んでも構わない。
【符号の説明】
【００８７】
１  本体
２  ＷｉＦｉモジュール（通信部）
１０  表示操作パネル部（表示操作部）
６８  調理メニュー記憶部（記憶手段）
６９  使用状況記憶部（記憶手段）
Ｒ  オーブンレンジ
Ｓ  スマートフォン（通信機器）
【図１】
2019027705.tif 000003
【図２】
2019027705.tif 000004
【図３】
2019027705.tif 000005
【図４】
2019027705.tif 000006
【図５】
2019027705.tif 000007
【図６】
2019027705.tif 000008
【図７】
2019027705.tif 000009
【図８】
2019027705.tif 000010
【図９】
2019027705.tif 000011
【図１０】
2019027705.tif 000012
【図１１】
2019027705.tif 000013
【図１２】
2019027705.tif 000014
【図１３】
2019027705.tif 000015
【図１４】
2019027705.tif 000016
【図１５】
2019027705.tif 000017
【図１６】
2019027705.tif 000018